(57)【要約】【目的】  階層的に積層した板材で本体を構成するという過去に存在しなかった独創的かつ新規的特長を有すると同時に、優れた音響的、機能的、意匠的、コスト的、量産的、演奏的特性等を備えた斬新な弦楽器を提供する。【構成】  間隔を空けて積層した板状の多階層構造及び付加構造から成る本体に弦を張った構成を全体の特徴とする。【選択図】  図３。
2005031600.tif 000002
【特許請求の範囲】
【請求項１】
間隔を空けて階層的に積層した板状の素材で構成された弦楽器。
【請求項２】
請求項１の弦楽器をネック指板部分のみ、あるいはネック指板及びボディ部分から構成した弦楽器。
【請求項３】
請求項１、請求項２の弦楽器の板材を適切な数のボルト等でジョイント構成することで、強度及び音響振動伝導性、反りの修正、音の微調整等を可能にした構造。
【請求項３】
請求項１の弦楽器のボディ部分に従来のネック指板を取り付けた構造の弦楽器。
【請求項４】
請求項１及び請求項２の板状の素材に、音響・音量・音質・音色等の調整あるいは意匠等を目的とするホール（孔）や凹凸等を設け、階層的・段階的に間隔を空けて積層した構造の弦楽器。
【請求項５】
請求項１、請求項２、請求項３、請求項４の弦楽器に、弦振動を電気信号に置き換えて出力するための各種装置を装備した構造の弦楽器。
【請求項６】
請求項１、請求項２、請求項３、請求項４、請求項５の弦楽器を構成する各層の板状素材に対応する独立したブリッジ（駒）を取り付けた構造。
【発明の詳細な説明】
【発明の詳細な説明】
【技術分野】
【０００１】  本発明は、新たな弦楽器に関するものである。
【背景技術】
【０００２】  従来、ギターやベース、ヴァイオリン等に代表される弦楽器は、ネック部とボディ部とから構成され、そこに張られた弦の振動をボディとその内部で共鳴、増幅させる構造が主流であった。
【発明が解決しようとしている課題】
【０００３】  そのため、多種多様な意匠及び機能をもつ弦楽器が製造されてはいるが、それらの構造は基本的に同一原理から成り、音響的にも類似の構造あるいは同質・同意匠の踏襲による伝統的かつ画一的な製品が多く、機能的、原理的、意匠的、音響的斬新さに欠けていた。
また、アコースティックギターなどはボディが大きくなり、エレクトリックギターなどはボディが重くなるなど使い勝手が良く無かった。さらに、加工にも特殊な技術を要し、コストが増大する要因の一つでもあった。
本発明は、それらの欠点を解決するためになされたものである。
【課題を解決するための手段】
【０００４】  本発明は、間隔を空けて積層した板状の素材を用いて弦楽器を成形することで、本体自体に構造体及び支持体、共鳴体としての振動増幅機能を持たせ、全体を小型化、軽量化すると同時に伝統技法を革新する斬新な意匠及び原理を実現した画期的なものである（図３）。
さらに、上記の構造的利点を活かし助長するために、階層的・段階的な音響拡大・拡散効果をもつサウンドホール及び多数のボルトによる音響調整・修正機能、各弦振動を独立して板材に伝達するブリッジ機構等、斬新な発明を併用・内包した高い完成度を保持している。
また、木材以外にも合成樹脂類や、カーボンファイバーなどのファイバー類、金属等、様々な特質を有する素材を使用して簡単な作業工程で大量に制作することができるため、素材の特性を活かすと同時にコストも抑えることができ、環境保護や資源の有効活用にも貢献するよう開発された新規的特徴を有するものである。
【発明を実施するための最良の形態】
【０００５】  本弦楽器の本体を板状の素材で成形し、それらを適切な間隔を設けて交互に積層させ、表板から裏板まで貫通させたボルト及びスペーサーで固定させる（図３）。ネック指板部分は指板裏の中央部からネックの裏側中央までを中心部数箇所から数十箇所貫通させるが、これは強度の確保及び音響振動の伝達性の向上、ネック自体の反りの防止、修正を厳密に調整するためなどが目的である（図２）。なお、ボルトは中心・中央部以外に用いても良い。
こうすることで、従来ネック全体を一本のボルトで大まかな修正しか出来なかったものを、多くの箇所で精緻な修正ができるようにした。また、ネック裏側は中央中心部に縦溝を設けた板材を使用することで、ボルトが掌に触れることなくスムーズな運指ができるよう工夫した。
こうして、ネック部に充分な強度を持たせつつ、修正・調整の精度向上、滑りや軽量化の確保、ネック部自体の共鳴板材の面積増大に伴う振動放出作用による音響効果の向上等を実現している。（図４）ネックとボディを一体化した場合、加工性、演奏性、意匠性、音の伝導性、音量の増大等にも優れている。
ボディ部を本体に採用する場合も同様、表板から裏板までをボルトで貫通させ固定するのだが、音響振動の増幅、共鳴、放出効果をより高めるため、ボルトの数はボディ形状に合わせ適切な本数にする。弦楽器の音響特性や形状、板材の材質、ブリッジ部の構造、デザイン、用途などに対応してボディ周縁のボルトは全ての階層で固定することなく、表板と裏板とでサンドし、中間層の板材の自律性を高めてもよい。
また、各層の板材の共振パターンに応じて板材の各所に適切な数のホール（孔）を設けることで、音色のチューニングや外観のデザイン性に個性的表情を持たせることができると同時に、各板材からの音の抜けを良くする効果がある（図６、図７）。さらに、階層的・段階的・漸増的にホール部を構成することで、音響レンズ効果による音響拡大・拡散効果が得られ、音がより高い効率で前面に放出される（図６）。なお、板材の材質や形状、厚み等を変えることでも様々な音色のチューニング及びデザインが可能である。
本発明の弦楽器用にブリッジ部は各々の弦に対応した独立構造を採用した（図５）。勿論、従来の一体式ブリッジでも良いのだが、全ての弦振動が上部板材より合成されてボディに伝達されるため、各弦から発した音振動の干渉等によりセパレーションが十分得られない状態もあった。そのため、本発明では板状素材の各層に対して独立したブリッジを採用し、弦振動を自律的・直接的かつ有効に伝達することに成功した。
つまり、一本の弦に対して一つのブリッジと一枚の振動共鳴板（本体）が独立して対応する。しかし、弦の数が多い楽器やネック指板部を本体とした態様等の場合、ボディの厚みが増す等の問題もあるため、音域の近い弦同士を数本併用しても良い（図１２）。なお、弦振動を完全に分離、あるいはボディ全体の振動と自律した振動とを融合させてもよい。こうして、本弦楽器の新規的特長が活かされることになる。
このように、本品は従来の様々な種類の弦楽器に応用可能な構造的特長を有するものであり、アコースティック楽器のみならずエレクトリック楽器や両者の併用楽器、デジタル楽器等、新規の楽器としての可能性に満ちた独創的な発明といえる。
【発明の効果】
【０００６】  本発明は次のような効果をもたらすものである。
１）  過去に存在しなかった全く新しい発想による独創的かつ斬新な弦楽器を提供する。
２）  構造材及び支持体、共鳴体等として機能する板素材を用いるため、製作工程が単純化され、優れた意匠的特長を活かしつつ、シンプルな構造および低コストによる量産化を実現する。
３）  量産可能で機能性に優れた工業製品であると同時に、アート、デザイン、工芸作品的価値も内包する。
４）  様々な特性をもつ多種多様な素材を用いることができるため、音質的、形状的、色彩的、触覚的、価格的、意匠的差別化等が容易である。
５）  全体を小型化かつ軽量化することができる。
６）  アコースティック、エレクトリック、併用型に対応できる。
７）  初心者や自作者のための組み立てキットとしても適している。
８）  ネックやボディ全体及び複数階層に独立した板材を振動させるため、音響的な厚みや広がりが得られる。
９）  独立したブリッジが各弦の弦振動を自律した音響振動として各層の板材にも伝達させるため、音響的セパレーションに優れ、濁りや淀みの少ないクリアな音が再現される。
１０）  各層の板材に適切な数と形状のサウンドホールを設けることで、音響振動のチューニングによる音の補正やデザインが可能となり、音の抜けや拡がりの向上に効果が得られる。
１１）  ホールによる美観的、個性的効果も得られる。
１２）  板素材厚みや形状、ホールの数や形状、配置などを変えたり、溝や突起物等の加工を施すことでより良い音を追求することができる。
１３）  ギターやヴァイオリン等、既存の弦楽器に応用できる。
１４）  ネック及び指板部分だけで最適な音量・音質をもつ楽器として成立するため、小型で軽量、低コスト、斬新なデザイン等が実現する。
【図面の簡単な説明】
【図１】本発明の正面図である（ボディ部を有する６弦楽器の例）。
【図２】本発明の裏面図である（ボディ部を有する６弦楽器の例）。
【図３】本発明の側面図である（ボディ部を有する例）。
【図４】本発明のネック部ボルト接合部（図２Ｂ−Ｂ’）の横断面図である。
【図５】本発明のボディブリッジ部（図１Ａ−Ａ’）の横断面図である。
【図６】本発明の階層的・段階的ホール部（図１Ｃ−Ｃ’）の横断面図である。
【図７】本発明の実施態様例１の正面図である。
【図８】本発明の実施態様例２の正面図である。
【図９】本発明の正面図である（ネック指板部を本体とする態様）。
【図１０】本発明の裏面図である（ネック指板部を本体とする態様）。
【図１１】本発明の側面図である（ネック指板部を本体とする態様）。
【図１２】本発明のブリッジ部（図９Ｄ−Ｄ’）の横断面図である。
【符号の説明】
１  本体（板材）
２  ボルト＆スペーサー
３  ブリッジ
４  弦
５  ホール（孔）
【図１】
2005031600.tif 000003
【図２】
2005031600.tif 000004
【図３】
2005031600.tif 000005
【図４】
2005031600.tif 000006
【図５】
2005031600.tif 000007
【図６】
2005031600.tif 000008
【図７】
2005031600.tif 000009
【図８】
2005031600.tif 000010
【図９】
2005031600.tif 000011
【図１０】
2005031600.tif 000012
【図１１】
2005031600.tif 000013
【図１２】
2005031600.tif 000014
【手続補正書】
【提出日】平成15年10月14日(2003.10.14)
【手続補正１】
【補正対象書類名】特許請求の範囲
【補正対象項目名】全文
【補正方法】変更
【補正の内容】
【特許請求の範囲】
【請求項１】
間隔を空けて階層的に積層した板状の素材で構成された弦楽器。
【請求項２】
請求項１の弦楽器をネック指板部分のみ、あるいはネック指板及びボディ部分から構成した弦楽器。
【請求項３】
請求項１、請求項２の弦楽器の板材を適切な数のボルト等でジョイント構成することで、強度及び音響振動伝導性、反りの修正、音の微調整等を可能にした構造。
【請求項４】
請求項１の弦楽器のボディ部分に従来のネック指板を取り付けた構造の弦楽器。
【請求項５】
請求項１及び請求項２の板状の素材に、音響・音量・音質・音色等の調整あるいは意匠等を目的とするホール（孔）や凹凸等を設け、階層的・段階的に間隔を空けて積層した構造の弦楽器。
【請求項６】
請求項１、請求項２、請求項３、請求項４の弦楽器に、弦振動を電気信号に置き換えて出力するための各種装置を装備した構造の弦楽器。
【請求項７】
請求項１、請求項２、請求項３、請求項４、請求項５の弦楽器を構成する各層の板状素材に対応する独立したブリッジ（駒）を取り付けた構造。